(57)【特許請求の範囲】
【請求項１】
同軸ケーブルの中心導体が結線される結線部と相手コネクタの対応接触部と接触接続される接触部を有する端子と、該端子を包囲するようにして支持する絶縁体と、該絶縁体を収める外部導体とを備え、上記端子は結線部におけるケーブルの延出方向と相手コネクタへの挿着方向とがほぼ直角をなし、絶縁体は、端子の接触部を収める中空部が形成された本体部と、該本体部の上面に配される端子の結線部を押圧するように屈曲される中蓋部とを有し、外部導体は、絶縁体の本体部を収容する筒状部と、該筒状部から延出して形成され屈曲時に上記中蓋部を屈曲のための押圧力を与える外蓋部とを有し、該筒状部と該絶縁体の本体部との間に相手のコネクタの対応接触部を受け入れ接触接続するための筒状の環状空間を形成しているＬ型同軸コネクタにおいて、該環状空間とケーブル収容部は連通し、該環状空間にケーブルが露出していて、該環状空間に相手コネクタの外部導体の先端がケーブル収容部付近まで挿入可能となっており、絶縁体は中蓋部がその屈曲時に上記筒状部の直径円内に位置しており、上記絶縁体の上面に配される端子の結線部での該上面から壁部上端までの高さはケーブルの誘電体の直径よりも小さく設定されていることを特徴とするＬ型同軸コネクタ。
【請求項２】
絶縁体は、本体部から半径外方に延出せるケーブル支持のための支持面が形成された肩部を有していることとする請求項１に記載のＬ型同軸コネクタ。
【請求項３】
絶縁体の本体部の上面が肩部の支持面よりも下方に没して位置していることとする請求項２に記載のＬ型同軸コネクタ。
【請求項４】
絶縁体は、本体部と肩部との間に、ケーブルの変形を許容する隙間が形成されていることとする請求項２又は請求項３に記載のＬ型同軸コネクタ。
【請求項５】
端子は、ケーブルの軸線を含む面での結線部の断面が略Ｕ字状をなして、ケーブルの中心導体の半田結線のための平坦部と、該平坦部の上記軸線方向両端にて垂立する壁部を有し、一方の壁部に中心導体の挿入のためのスリット状の溝部が形成され、他方の壁部が中心導体の先端に対向して位置していることとする請求項１に記載のＬ型同軸コネクタ。
【請求項６】
同軸ケーブルの中心導体が結線される結線部と相手コネクタの対応接触部と接触接続される接触部を有する端子と、該端子を包囲するようにして指示する絶縁体と、該絶縁体を収める外部導体とを備え、上記端子は結線部におけるケーブルの延出方向と相手コネクタへの挿着方向とがほぼ直角をなし、絶縁体は端子の接続部を収める中空部が形成された本体部と、該本体部の上記端子の上面に屈曲され高さ方向にて該上面との中間にケーブル収容部を形成する中蓋部とを有し、外部導体は、絶縁体の本体部を収容する筒状部と、該筒状部から延出して形成され屈曲時に上記中蓋部を屈曲のため押圧力を与えると共に先端部でケーブルを保持する外蓋部とを有し、該筒状部と該絶縁体の本体部との間には相手のコネクタの対応接触部を受け入れ接触接続するための筒状の環状空間を形成しているＬ型同軸コネクタにおいて、該環状空間とケーブル収容部は連通し、該環状空間にケーブルが露出していて、該環状空間に相手コネクタの外部導体の先端がケーブル収容部付近まで挿入可能となっていることを特徴とするＬ型同軸コネクタ。
【発明の詳細な説明】
【０００１】
【発明の属する技術分野】
本発明はＬ型同軸コネクタに関する。
【０００２】
【従来の技術】
この種のコネクタとしては、図３のごとくのものが知られている。図３に示されるコネクタ５０において、同軸ケーブルＣは外皮Ｃ１内に、シールド線Ｃ２、誘電体Ｃ３そして中心導体Ｃ４を順に有している。この中心導体Ｃ４は端子５１に半田接続される。端子５１は、金属片を屈曲して形成されていて結線部５２と接触部５３とを有している。結線部５２は一端寄りに山部５２Ａそして他端寄りに立上り壁部５２Ｂを有し、該立上り壁部５２Ｂにスリット５２Ｃが形成されており、該スリット５２Ｃにて中心導体Ｃ４を所定位置に収めている。その際、立上り壁部５２Ｂは中心導体Ｃ４の先端の位置決めを行なう。上記山部５２Ａと立上り壁部５２Ｂは、それらの中間で中心導体Ｃ４を結線部５２に半田付けする際に、両端側への半田の流れを防止する機能をも有している。また、上記接触部５３は、上記山部５２Ａの位置から紙面に直角な方向で間隔をもつ二位置で紙面に平行な面をもつ舌片状をなしており、上記結線部５２とは一体に形成されている。
【０００３】
かかる端子５１は絶縁体５４により保持される。この絶縁体は、円筒状の本体部５５と中蓋部５６とを有している。本体部５５は中央に中空孔部５５Ａが形成され、上面５５Ｂが平坦をなしており、上記端子５１の接触部５３が上記中空孔部５５Ａに収められて上面５５Ｂが結線部５２上に載置されている。該本体部５５の上面位置からは半径外方の一方に延出して肩部５７が設けられており、ケーブルＣの誘電体Ｃ３の部分を支えている。又、本体部５５の上面位置から、上記肩部５７とは半径外方の反対側の周部にて中蓋部５６が延出しているが、該中蓋部５６は下述する外部導体の外蓋部と共に折曲されて、図３のごとく端子５２を覆っており、その先端部が肩部５７と平行に位置している。
【０００４】
金属板で作られた外部導体５８は筒状部５９と外蓋部６０とを有している。筒状部５９は上記絶縁体５４の本体部５５を収容すると共に、両者の間に筒状の環状空間６１を形成する。外蓋部６０は、上記絶縁体の中蓋部５６と同様に筒状部５９から延出しているが、図３のごとくこの中蓋部５６を押すように折曲されている。外蓋部６０はその先端部はケーブルＣを包囲するように丸められ該ケーブルを保持している。
【０００５】
一方、相手コネクタ７０は、端子７１、絶縁体７２そして外部導体７３を有している。端子７１は部分的に絞り加工を受けて軸状に突出形成された接触部７１Ａと、底部から板状に延出する接続部７１Ｂとを有している。外部導体７３は筒状部７３Ａを有している。
【０００６】
かくして、上記コネクタ５０はその環状空間６１に相手コネクタ７０の筒状部７３Ａを受け入れながら筒状部５９と結合され、同時に互の端子５３と７１とが嵌合する。
【０００７】
【発明が解決しようとする課題】
かかる同軸コネクタにあっては、コネクタの高さ寸法を小さくすること、すなわち、低背化の要請が強い。
【０００８】
図３のコネクタの高さは、絶縁体の本体部５５の高さ、ケーブル（誘電体Ｃ３）の直径、中蓋部５６の厚さ、そして外蓋部６０の厚さの和となっており、最低限、この寸法となる。しかも、本体部５５の高さには肩部５７の厚さそしてその位置をも考慮せねばならず、本体部自体を肩部と無関係に低背化することもできず、結果として上記高さに甘んじなければならない。なお、安定した嵌合に最低限必要な外部導体の高さがあるため、これを受け入れる環状空間の高さを低くするには限界がある。
【０００９】
さらには、ケーブルの中心導体Ｃ４と端子５１の結線部５２がケーブルの軸線方向にて絶縁体の肩部５７の範囲まで及んでいるために、この方向でもコネクタは、これ以上小さくできない。
【００１０】
本発明は、かかる事情に鑑み、高さ方向そしてケーブルの長さ方向での小型化を可能とする同軸コネクタを提供することを目的とする。
【００１１】
【課題を解決するための手段】
本発明に係るＬ型同軸コネクタは、同軸ケーブルの中心導体が結線される結線部と相手コネクタの対応接触部と接触接続される接触部を有する端子と、該端子を包囲するようにして支持する絶縁体と、該絶縁体を収める外部導体とを備えている。
【００１２】
かかる同軸コネクタの上記端子は結線部におけるケーブルの延出方向と相手コネクタへの挿着方向とがほぼ直角をなしている。又、絶縁体は、端子の接触部を収める中空部が形成された本体部と、該本体部の上面に配される端子の結線部を該上面に押圧するように屈曲される中蓋部とを有している。そして、外部導体は、絶縁体の本体部を収容する筒状部と、該筒状部から延出して形成され屈曲時に上記中蓋部を屈曲のための押圧力を与えると共に先端部でケーブルを保持する外蓋部とを有している。
【００１３】
該筒状部と該絶縁体の本体部との間には、相手コネクタの対応接触部を受け入れ接触接続するための環状空間があり、該環状空間はコネクタのケーブル収容部と連通しており、該ケーブルは、該環状空間に露出している。該環状空間には、相手コネクタの外部導体の先端がケーブル収容部付近まで挿入される。
【００１４】
本発明では、絶縁体は中蓋部がその屈曲時に上記筒状部の直径円内に位置しており、上記絶縁体の上面に配される端子の結線部での該上面から壁部上端までの高さはケーブルの誘電体の直径よりも小さく設定されていることを特徴としている。
【００１５】
上述の構成の本発明のコネクタによれば、中蓋部が筒状部の直径円内に位置しているので、絶縁体の本体部の上面を低くすることにより、筒状部の高さに係りなく、コネクタの高さが小さくなる。又、中蓋部が上記筒状部により阻止されずにケーブルの誘電体を圧縮することができ、その分上記高さをさらに小さくできる。
【００１６】
本発明では、絶縁体は、本体部から半径外方に延出せるケーブル支持のための支持面が形成された肩部を有しているようにすることができる。この場合、絶縁体の肩部と中蓋部とが異なる位置にあるので、ケーブルの可撓性そして弾性縮径性を利用して、該ケーブルを撓み変形そして加圧圧縮せしめて、両部の高さ範囲をケーブル径内に収めることができ、上記肩部を設けることがコネクタの低背化に障害とはならない。
【００１７】
上記の肩部を設ける場合には、絶縁体の本体部の上面が肩部の支持面よりも下方に没して位置していることがコネクタの低背化のために好ましい。その際、絶縁体の本体部と肩部との間に、ケーブルの変形を許容する隙間が形成されていることとするならば、上記のケーブルの撓みそして縮径が楽に行なわれる。
【００１９】
【発明の実施の形態】
以下、添付図面の図１及び図２にもとづき、本発明の実施の形態を説明する。
【００２０】
図１は、本実施形態のＬ型同軸コネクタの組立前の状態での各部材を分離して示す斜視図である。
【００２１】
図１にて、コネクタは端子１０、絶縁体２０そして外部導体３０を有している。
【００２２】
端子１０は、帯状金属材を加工して作られキャリア１１に対し定間隔位置で複数設けられている。各端子１０は、結線部１２と接触部１３とを有しており、結線部１２の平坦部１２ＡへケーブルＣの中心導体Ｃ４が半田結線された後に、切離部１４でキャリア１１から切り離されて独立したものとなる。上記端子１０の結線部１２には、両端部１２Ｂで立設された壁部１５，１６を有し、上記接触部１３は該両壁部１５，１６間で側縁から舌片状をなして下方に垂下している。一方の壁部１５には上記中心導体Ｃ４を受け入れるための溝部１５Ａが形成されている。該壁部１５は上記溝部１５Ａを形成するとともに、その外側面はケーブルの誘電体Ｃ３の端面を当接させる機能も有している。他方の壁部１６は、キャリア１１と端子１０とを連結する部分１７に形成された窓部１７Ａの一端側から切り起こされた部分により形成されており、中心導体Ｃ４の先端と対面する。両接触子１３は下部が内側に湾曲していて喉部１３Ａを形成している。
【００２３】
絶縁体２０は、絶縁材料をモールド成形することにより作られていて、略円筒状の本体部２１と、該本体部２１の上部位置から半径外方の一方に延出する肩部２２と、肩部２２と半径外方で反対側に位置し上方に延出する中蓋部２３とを有している。
【００２４】
上記絶縁体２０の本体部２１には、上記端子１０の舌片状の接触部１３を収容する中空部２４が上下に貫通して形成され、その両端側の上面２５の縁部は上記端子１０の結線部１２を載置する面を形成している。上記本体部２１の上部周縁はフランジ部２６が形成され、上記中空部２４の両側位置に側壁部２７が立ち上がって設けられている。この側壁部２７は、特には必須のものではない。
【００２５】
上記肩部２２には、好ましい形態として、両側に案内壁２８が立設されているが、これは後述する中蓋部２３が屈曲せられるとき、その案内をするためのものであり、必須のものではない。又、本実施形態では、肩部２２と本体部２１の間に間隙２２Ａが形成されている。上記上面２５よりも上方に突出する上記案内壁２８、側壁部２７そしてその他の本体部の部分は、すべて、上記上面２５上にケーブルの誘電体Ｃ３を配したときにそれよりも低い位置となっているように高さ寸法が定められている。
【００２６】
上記中蓋部２３は、後に上記上面２５と平行となるように屈曲されるが、その際、上記上面２５の範囲に収まるような寸法となっている。
【００２７】
外部導体３０は、金属板を加工して作られており、筒状部３１と外蓋部３２とを有している。
【００２８】
筒状部３１は、上記絶縁体２０の本体部２１を同心位置に収容し、該本体部２１との間に相手コネクタの筒状の外部導体を受け入れる環状空間１２を形成するような径となっている。該筒状部３１には、側方に延出して絶縁体２０の肩部２２（及びその案内壁２８）を側方から囲む囲繞部３３が設けられている。外蓋部３２は、くびれた基部３２Ａで、後に筒状部３１の方向へ屈曲されるが、その際、筒状部３１の範囲を覆う平蓋部３２Ｄとその範囲外にあってケーブルＣの外皮Ｃ１部分そしてシールド線２Ｃ部分を把持するように塑性変形される把持部３２Ｃ，３２Ｂをそれぞれ有している。又、該把持部３２Ｃ，３２Ｂと平蓋部３２Ｄとの間には、上記肩部２２の下側に回り込むように、溝部３２Ｆで折り曲げられ該肩部２２を支持・補強する突出片３２Ｅが設けられている。
【００２９】
環状空間２とケーブル収容部は連通して、該環状空間２に該ケーブルの誘電体Ｃ３が露出しているため、相手コネクタの外部導体の先端は、ケーブルの収容部付近まで挿入可能になり、安定した嵌合に最低限必要な外部導体の高さ（有効嵌合長）と誘電体Ｃ３の高さと外蓋部３２の高さの和が、コネクタの高さになる。なお、該環状空間２は有効嵌合長より長くなければならない。
【００３０】
かかる構成の本実施形態のコネクタは次の要領で組み立てられ使用される。
【００３１】
▲１▼  図１に示されるごとくのケーブルＣの中心導体Ｃ４を端子１０の溝部１５Ａへ収めて結線部１２の平坦部１２Ａ上に配し、ここで半田結線する。その際、半田は両端の壁部１５，１６によりここから流れて接触部１３の内側に付着することはない。
【００３２】
▲２▼  次に、この端子１０及びこれに結線されたケーブルＣを絶縁体２０上に配置する。その際、端子１０の接触部１３は絶縁体２０の中空部２４へ収容され、結線部１２の両端部１２Ｂは絶縁体２０の上面２５にて支えられ、該ケーブルＣの誘電体Ｃ３の部分が絶縁体２０の肩部２２にて支えられる。
【００３３】
▲３▼  しかる後に、図２に見られるごとく、外部導体３０の外蓋部３２をその基部３２Ａでほぼ直角に屈曲させ、この外蓋部３２で絶縁体２０の中蓋部２３を圧してこれも同様に屈曲させる。そして、外部導体３０の把持部３２Ｂ，３２Ｃを筒状に湾曲変形させてケーブルのシールド線Ｃ２そして外皮Ｃ１の部分をそれぞれ把持せしめる。こうすることにより、絶縁体２０の中蓋部２３と肩部２２は、図２に見られるようにケーブルＣの長手方向で異なる範囲に位置しているので、誘電体Ｃ３の部分を上下から圧し撓み変形とともに圧縮変形させる。その結果、半径方向にて外部導体３０の筒状部３１の範囲でのケーブルの誘電体Ｃ３と絶縁体２０の中空部２４とが、高さ方向において、肩部２２と誘電体Ｃ３と同位置で同寸法となる。すなわち、図３の従来のものに比し、高さ寸法は、中蓋部の厚さ（図２にて高さ）寸法だけ小さくなる。又、上記ケーブルの変形時において、絶縁体２０には、本体部２１と肩部２２との間に隙間２２Ａが形成されているので、ケーブルの一部がここに逃げ込んで変形しやすくなる。
【００３４】
▲４▼  このようにして組み立てられたコネクタ１は、図２のごとく、相手コネクタ７０と結合される。なお、この相手コネクタ７０は図３の従来と同じであり、各部に同一符号を付すことによりその説明を省略する。
【００３５】
【発明の効果】
本発明は、以上のごとく、環状空間とケーブル収容部が連通して、該環状空間に該ケーブルが露出しているため、相手コネクタの外部導体の先端は、ケーブルの収容部付近まで挿入可能になり、安定した嵌合に最低限必要な外部導体の高さ（有効嵌合長）とケーブルの高さと外蓋部の高さの和が、コネクタの高さになるため、コネクタの高さ寸法を小さくできる。又、絶縁体の本体部に肩部を設ける場合でも、ケーブルの可撓性そして弾性縮径を利用して、肩部と中蓋部とを異なる位置でケーブルを圧縮保持することにより、両者をケーブルの径内に収められることとなり高さ寸法を小さくできる。また、本体部と肩部との間に隙間を形成した場合は、相手コネクタの外部導体の先端は、ケーブルの収容部付近まで挿入可能になり、これによりコネクタ高さ寸法を小さくできる。結線部を肩部よりも内方に位置せしめることができ、これにより長さ方向でも寸法を小さくできる。コネクタが大幅に小型化され、その結果、これを採用する電子機器の高密度実装が可能となる。
【図面の簡単な説明】
【図１】本発明の一実施形態のコネクタの各部材を組立前の分離状態で示す斜視図である。
【図２】図１のコネクタの組立後の断面図である。
【図３】従来のコネクタの断面図である。
【符号の説明】
１０    端子
１２    結線部
１２Ａ  平坦部
１３    接触部
１５，１６  壁部
１５Ａ  溝部
２０    絶縁体
２１    本体部
２２    肩部
２２Ａ  隙間
２３    中蓋部
１５    上面
３０    外部導体
３１    筒状部
３２    外蓋部
【図１】
0003679651.tif 000002
【図２】
0003679651.tif 000003
【図３】
0003679651.tif 000004